(57)【要約】【課題】講義中の受講者の発言から取得した声紋情報基づき本人認証を実行して、事前に声紋情報を取得することなく本人認証を行なうことができ、また、受講者の発言を積極的に促して講義の活発化を図ることが可能な出席状態管理方法及びシステムを提供する。【解決手段】出席状態管理装置１が、ハンディターミナル２から送信された、受講者ＩＤコード及び座席ＩＤコードと、在席センサー１０３による、受講者が在席しているかについての検知結果とに基づき、出席している受講者を認証し、該受講者の出席受講者リストを生成して表示する。また、該講義時間中に、ハンディターミナル２から送信される受講者ＩＤコード及び音声情報から、発言した受講者の声紋データを取得し、該受講者の過去の声紋データと今回取得した声紋データとの一致度を求めて表示し、該受講者の出席日数に対応する出席点数を含む出席状態データを出席状態データ記憶部１９に記憶する。【選択図】図１
2008276633.tif 000002
【特許請求の範囲】
【請求項１】
講義への受講者の出席状態を管理する出席状態管理システムであって、
上記受講者の所有する記録媒体及び各座席に設けられた記録媒体から受講者ＩＤコード及び座席ＩＤコードを読み取る記録媒体リーダと、マイク部と、通信部とを有する持ち運び可能な端末装置と、
上記端末装置の通信部から送信される上記受講者ＩＤコード、座席ＩＤコード及び上記マイク部から入力された音声情報を受信する通信手段と、
当該講義科目の各受講日毎の、受講者の受講者名と、該受講者の出席日数に対応する出席点数と、該受講者が過去に発言した際に取得された過去の声紋データと該受講者が今回発言した際に取得された声紋データとの一致度とを出席状態データとして記憶する出席状態データ記憶手段と、
上記記録媒体リーダにより読み取られた受講者ＩＤコード及び座席ＩＤコードと、各座席に設けられたセンサーによる、受講者が在席しているかについての検知結果とに基づいて、出席している受講者を認証するとともに、当該受講者が在席している座席位置を求める受講者／座席位置認証手段と、
上記出席状態データ記憶手段から、上記受講者／座席位置認証手段により認証された各受講者の出席状態データを読み出し、当該講義に出席している各受講者の受講者名と当該講義についての現在の出席点数と座席位置とを対応付けて出席受講者リストを生成する出席受講者リスト生成手段と、
上記出席受講者リスト生成手段により生成された出席受講者リストを、少なくとも講師の見えるところに表示する出席受講者リスト表示手段と、
当該講義時間中に、上記端末装置の通信部から送信される上記受講者ＩＤコード及び上記マイク部から入力された音声情報から、発言した受講者の受講者ＩＤコードに対応した声紋データを取得して声紋データ記憶部に記憶する声紋データ取得手段と、
上記声紋データ記憶部に記憶された当該受講者の過去の声紋データを読み出し、上記今回取得した声紋データと過去の声紋データとを比較して、該過去の声紋データと今回取得した声紋データとの一致度を求める声紋データ比較手段と、
上記声紋データの一致度を少なくとも講師の見えるところに表示する一致度表示手段と、
上記受講者／座席位置認証手段により認証された受講者の受講者名と、上記声紋データ比較手段によって求められた今回取得した声紋データについての上記声紋データの一致度と、該受講者の出席日数に対応する出席点数とを、該受講者のＩＤコードに対応付けて上記出席状態データ記憶手段に書き込む出席状態データ書き込み手段とを備える
ことを特徴とする出席状態管理システム。
【請求項２】
上記出席状態データ書き込み手段が、上記今回取得した声紋データについての上記声紋データの一致度に基づいて、該受講者の出席日数に対応する出席点数を算出し、該算出された出席点数を上記出席状態データ記憶手段に書き込む
ことを特徴とする請求項１に記載の出席状態管理システム。
【請求項３】
講義への受講者の所有する記録媒体及び各座席に設けられた記録媒体から受講者ＩＤコード及び座席ＩＤコードを読み取る記録媒体リーダと、音声情報が入力されるマイク部と、通信部とを有する持ち運び可能な端末装置と、情報処理装置とからなり、該講義への受講者の出席状態を管理する出席状態管理システムにおける出席状態管理方法であって、
上記情報処理装置が備える通信手段が、上記端末装置の記録媒体リーダにより読み取られて上記通信部から送信される、受講者ＩＤコード及び座席ＩＤコードを受信するステップと、
上記情報処理装置が備える受講者／座席位置認証手段が、上記受信された受講者ＩＤコード及び座席ＩＤコードと、各座席に設けられたセンサーによる、受講者が在席しているかについての検知結果とに基づいて、出席している受講者を認証するとともに、当該受講者が在席している座席位置を求めるステップと、
上記情報処理装置が備える出席受講者リスト生成手段が、当該講義科目の各受講日毎の、受講者の受講者名と、該受講者の出席日数に対応する出席点数と、該受講者が過去に発言した際に取得された過去の声紋データと該受講者が今回発言した際に取得された声紋データとの一致度とが出席状態データとして記憶された出席状態データ記憶手段から、上記認証された各受講者の出席状態データを読み出し、当該講義に出席している各受講者の受講者名と当該講義についての現在の出席点数と座席位置とを対応付けて出席受講者リストを生成するステップと、
上記情報処理装置が備える出席受講者リスト表示手段が、上記生成された出席受講者リストを、少なくとも講師の見えるところに表示するステップと、
上記情報処理装置が備える声紋データ取得手段が、当該講義時間中に、上記端末装置の通信部から送信される上記受講者ＩＤコード及び上記マイク部から入力されて上記通信部から送信される音声情報から、発言した受講者の受講者ＩＤコードに対応した声紋データを取得して声紋データ記憶手段に記憶するステップと、
上記情報処理装置が備える声紋データ比較手段が、上記声紋データ記憶手段に記憶された当該受講者の過去の声紋データを読み出し、上記今回取得した声紋データと過去の声紋データとを比較して、該過去の声紋データと今回取得した声紋データとの一致度を求めるステップと、
上記情報処理装置が備える一致度表示手段が、上記声紋データの一致度を少なくとも講師の見えるところに表示するステップと、
上記情報処理装置が備える出席状態データ書き込み手段が、上記受講者／座席位置認証手段により認証された受講者の受講者名と、上記声紋データ比較手段によって求められた今回取得した声紋データについての上記声紋データの一致度と、該受講者の出席日数に対応する出席点数とを、該受講者のＩＤコードに対応付けて上記出席状態データ記憶手段に書き込むステップを有する
ことを特徴とする出席状態管理方法。
【請求項４】
上記情報処理装置が備える出席状態データ書き込み手段が、上記今回取得した声紋データについての上記声紋データの一致度に基づいて、該受講者の出席日数に対応する出席点数を算出し、該算出された出席点数を上記出席状態データ記憶手段に書き込む
ことを特徴とする請求項３に記載の出席状態管理方法。
【発明の詳細な説明】
【技術分野】
【０００１】
本発明は、講義への受講者の出席を管理するとともに、講義の中での受講者の発言から取得される声紋情報に基づいて、受講者の本人認証を行う出席状態管理システム及び出席状態管理方法に関するものである。
【背景技術】
【０００２】
講義等を受講する者の出席を管理する従来技術として、例えば、下記の特許文献１に、受講生が携帯するＩＤカードから受講生ＩＤ情報を無線タグ用リーダ・ライタにより読み取って、教室管理装置が、席の位置情報と受講生ＩＤ情報とを関連付けて保存するとともに、出席状況をマップ画像としてディスプレイ上に表示する出席管理システムについて記載されている。
また、例えば、下記の特許文献２に、受講生が着席時に携帯端末のリーダ／ライタを各座席のＩＣタグにかざして該ＩＣタグのＩＤを読み取って、携帯端末のＩＤとともにサーバへ送信し、サーバが、携帯端末のＩＤをキーとして取得した受講生の個人情報と上記ＩＣタグのＩＤが示す座席番号とを対応付けて、座席表を作成する座席管理システムについて記載されている。
また、身代わり受講、身代わり受験などを防ぐため声紋を利用して出席者の本人認証を行うようにする技術として、例えば、下記の特許文献３に、一定のレベルで声紋認証を行い、声紋ＤＢに登録してある声紋で本人認証ができないときには、受講管理ＤＢに予め登録してある個人情報を入力させ、この入力された情報が正しい場合には、声紋認証のレベルを下げて認証を行う受講者識別方法について記載されている。
【特許文献１】特開２００５−２６７３５５号公報
【特許文献２】特開２００６−３１８０５８号公報
【特許文献３】特開２００４−１７７６６３号公報
【発明の開示】
【発明が解決しようとする課題】
【０００３】
特許文献１，２に示されるように、従来から出席を管理するシステムは数多く提案されているが、従来から提案されているものの多くは、出欠状態を管理するものであり、本人認証を行うものではなかった。
一方、特許文献３に記載された技術では、本人認証を行うために予め受講者の声紋を登録しておく必要があり、講義の中での受講者の発言に基づき取得される声紋情報に基づき、本人認証を行なうものではなかった。
本発明は、このような事情に鑑みなされたものであって、本発明の目的は、講義中の受講者の発言から声紋情報を取得し、この声紋情報に基づき本人認証を行なうことにより、事前に声紋情報を取得することなく本人認証を行なうことが可能であり、また、受講者の発言を積極的に促すことにより、講義の活発化及び活性化を図ることが可能な出席状態管理方法及びシステムを提供することである。
【課題を解決するための手段】
【０００４】
上記課題を解決するため、本発明においては、次のようにして前記課題を解決する。
（１）講義への受講者の出席状態を管理する出席状態管理システムを設ける。上記出席状態管理システムが、上記受講者の所有する記録媒体及び各座席に設けられた記録媒体から受講者ＩＤコード及び座席ＩＤコードを読み取る記録媒体リーダと、マイク部と、通信部とを有する持ち運び可能な端末装置と、上記端末装置の通信部から送信される上記受講者ＩＤコード、座席ＩＤコード及び上記マイク部から入力された音声情報を受信する通信手段と、当該講義科目の各受講日毎の、受講者の受講者名と、該受講者の出席日数に対応する出席点数と、該受講者が過去に発言した際に取得された過去の声紋データと該受講者が今回発言した際に取得された声紋データとの一致度とを出席状態データとして記憶する出席状態データ記憶手段と、上記記録媒体リーダにより読み取られた受講者ＩＤコード及び座席ＩＤコードと、各座席に設けられたセンサーによる、受講者が在席しているかについての検知結果とに基づいて、出席している受講者を認証するとともに、当該受講者が在席している座席位置を求める受講者／座席位置認証手段と、上記出席状態データ記憶手段から、上記受講者／座席位置認証手段により認証された各受講者の出席状態データを読み出し、当該講義に出席している各受講者の受講者名と当該講義についての現在の出席点数と座席位置とを対応付けて出席受講者リストを生成する出席受講者リスト生成手段と、上記出席受講者リスト生成手段により生成された出席受講者リストを、少なくとも講師の見えるところに表示する出席受講者リスト表示手段と、当該講義時間中に、上記端末装置の通信部から送信される上記受講者ＩＤコード及び上記マイク部から入力された音声情報から、発言した受講者の受講者ＩＤコードに対応した声紋データを取得して声紋データ記憶部に記憶する声紋データ取得手段と、上記声紋データ記憶部に記憶された当該受講者の過去の声紋データを読み出し、上記今回取得した声紋データと過去の声紋データとを比較して、該過去の声紋データと今回取得した声紋データとの一致度を求める声紋データ比較手段と、上記声紋データの一致度を少なくとも講師の見えるところに表示する一致度表示手段と、上記受講者／座席位置認証手段により認証された受講者の受講者名と、上記声紋データ比較手段によって求められた今回取得した声紋データについての上記声紋データの一致度と、該受講者の出席日数に対応する出席点数とを、該受講者のＩＤコードに対応付けて上記出席状態データ記憶手段に書き込む出席状態データ書き込み手段とを備える。
（２）上記出席状態データ書き込み手段が、上記今回取得した声紋データについての上記声紋データの一致度に基づいて、該受講者の出席日数に対応する出席点数を算出し、該算出された出席点数を上記出席状態データ記憶手段に書き込む。
（３）講義への受講者の所有する記録媒体及び各座席に設けられた記録媒体から受講者ＩＤコード及び座席ＩＤコードを読み取る記録媒体リーダと、音声情報が入力されるマイク部と、通信部とを有する持ち運び可能な端末装置と、情報処理装置とからなり、該講義への受講者の出席状態を管理する出席状態管理システムにおける出席状態管理方法を用いる。
上記出席状態管理方法が、上記情報処理装置が備える通信手段が、上記端末装置の記録媒体リーダにより読み取られて上記通信部から送信される、受講者ＩＤコード及び座席ＩＤコードを受信するステップと、上記情報処理装置が備える受講者／座席位置認証手段が、上記受信された受講者ＩＤコード及び座席ＩＤコードと、各座席に設けられたセンサーによる、受講者が在席しているかについての検知結果とに基づいて、出席している受講者を認証するとともに、当該受講者が在席している座席位置を求めるステップと、上記情報処理装置が備える出席受講者リスト生成手段が、当該講義科目の各受講日毎の、受講者の受講者名と、該受講者の出席日数に対応する出席点数と、該受講者が過去に発言した際に取得された過去の声紋データと該受講者が今回発言した際に取得された声紋データとの一致度とが出席状態データとして記憶された出席状態データ記憶手段から、上記認証された各受講者の出席状態データを読み出し、当該講義に出席している各受講者の受講者名と当該講義についての現在の出席点数と座席位置とを対応付けて出席受講者リストを生成するステップと、上記情報処理装置が備える出席受講者リスト表示手段が、上記生成された出席受講者リストを、少なくとも講師の見えるところに表示するステップと、上記情報処理装置が備える声紋データ取得手段が、当該講義時間中に、上記端末装置の通信部から送信される上記受講者ＩＤコード及び上記マイク部から入力されて上記通信部から送信される音声情報から、発言した受講者の受講者ＩＤコードに対応した声紋データを取得して声紋データ記憶手段に記憶するステップと、上記情報処理装置が備える声紋データ比較手段が、上記声紋データ記憶手段に記憶された当該受講者の過去の声紋データを読み出し、上記今回取得した声紋データと過去の声紋データとを比較して、該過去の声紋データと今回取得した声紋データとの一致度を求めるステップと、上記情報処理装置が備える一致度表示手段が、上記声紋データの一致度を少なくとも講師の見えるところに表示するステップと、上記情報処理装置が備える出席状態データ書き込み手段が、上記受講者／座席位置認証手段により認証された受講者の受講者名と、上記声紋データ比較手段によって求められた今回取得した声紋データについての上記声紋データの一致度と、該受講者の出席日数に対応する出席点数とを、該受講者のＩＤコードに対応付けて上記出席状態データ記憶手段に書き込むステップを有する。
（４）上記出席状態管理方法において、上記情報処理装置が備える出席状態データ書き込み手段が、上記今回取得した声紋データについての上記声紋データの一致度に基づいて、該受講者の出席日数に対応する出席点数を算出し、該算出された出席点数を上記出席状態データ記憶手段に書き込む。
【発明の効果】
【０００５】
本発明においては、以下の効果を得ることができる。
（１）本発明は、受講者が所有するＩＣタグ等の記録媒体及び各座席に設置された座席ＩＣタグ等の記録媒体により出席者とその在席位置を認証しているので、講師は受講者の出欠及びその在席位置を確認することができる。
（２）本発明は、講義時間中の発言時に受講者のＩＣタグ等の記録媒体から読み取った受講者ＩＤコードに対応する声紋データを取得して、該今回取得した声紋データと過去の声紋データとを照合するので、他人の身代わりで講義に出席することを防止することを期待できる。
また、講師の見えるところに、受講者の在席位置、今回取得した声紋データと過去の声紋データとの一致度などを表示しているので、講師は、これらの情報に基づき発言者を指名することができ、また、本人であるかが怪しい場合には、本人であるか否かを確認することもできる。
（３）本発明は、受講者の出席日数に対応する出席点数を含むデータを出席状態データとして記憶手段に記憶する。従って、受講者の発言を促すことができ、講義を活発化及び活性化させることが期待できる。
（４）本発明は、受講者のこれまでの出席状態などを講義時間中に講師が見うる場所に表示するようにしたので、講師は、これまでの受講者の講義への参加意欲などを配慮しながら受講者の指名などが可能であり、講義を効果的に進めることができる。
【発明を実施するための最良の形態】
【０００６】
図１は本発明の出席状態管理システムの構成の一例を示す図である。同図に示す出席状態管理システムは、出席状態管理装置１とハンディターミナル２とを備える。
出席状態管理装置１は、後述するハンディターミナル２から送信される受講者ＩＤコード及び座席ＩＤコードと、各座席に設けられた在席センサー１０３による、受講者が在席しているかについての検知結果とに基づいて、講義に出席している受講者を認証し、認証された受講者の出席受講者リストを生成して表示する。受講者ＩＤコードは、受講者を一意に識別する識別情報であり、座席ＩＤコードは、座席を一意に識別する識別情報である。また、出席状態管理装置１は、ハンディターミナル２から、当該講義時間中に発言した受講者の受講者ＩＤコードと、ハンディターミナルに入力された音声情報とを受信して、該受信した受講者ＩＤコードと音声情報とに基づいて、該発言した受講者の受講者ＩＤコードに対応した声紋データを取得する。そして、出席状態管理装置１は、今回取得した声紋データと過去の声紋データとを比較して、該過去の声紋データと今回取得した声紋データとの一致度を求め、上記声紋データの一致度を少なくとも講師の見えるところに表示する。
【０００７】
ハンディターミナル２は、講義の開始前に、受講者の所有する受講者ＩＣタグから受講者ＩＤコードを読み取るとともに、講義室の各座席に設けられた座席ＩＣタグから座席ＩＤコードを読み取る。また、ハンディターミナル２は、上記受講者ＩＤコード及び座席ＩＤコードとを出席状態管理装置１に対して送信する。また、ハンディターミナル２は、当該講義時間中に発言する受講者の所有する受講者ＩＣタグから受講者ＩＤコードを読み取るとともに、マイク部３３から入力された音声情報（該受講者が発する音声）を録音し、該読み取られた受講者ＩＤコードと該録音された音声情報とを出席状態管理装置１に対して送信する。
【０００８】
なお、受講者が、上記受講者ＩＣタグに代えて、該受講者を識別する識別情報が記録された任意の記録媒体（例えばバーコード、二次元又は３次元コード等）を所有するようにしてもよい。また、上記座席ＩＣタグに代えて、座席を識別する識別情報が記録された任意の記録媒体（例えばバーコード、二次元又は３次元コード等）を各座席に設けるようにしてもよい。
【０００９】
出席状態管理装置１は、通信部１１、受講者／座席位置認証部１２、出席受講者リスト生成部１３、表示部１４、受講者指名部１５、声紋判定部１６、出席状態データ書き込み部１７、声紋データ記憶部１８、出席状態データ記憶部１９、スピーカー２０、ランプ接続部２１、センサー接続部２２を備える。
通信部１１は、ハンディターミナル２との間で通信を行う。例えば、通信部１１は、ハンディターミナル２の通信部３１から送信される、受講者ＩＤコード及び座席ＩＤコードと、講義室コードと、音声情報とを受信する。講義室コードは、講義室を一意に識別する識別情報である。
【００１０】
受講者／座席位置認証部１２は、上記受信された受講者ＩＤコード及び座席ＩＤコードと、センサー接続部２２を通じて通知された、各座席に設けられた在席センサー１０３による、受講者が在席しているかについての検知結果とに基づいて、出席している受講者を認証するとともに、当該受講者が在席している座席位置を求める。また、受講者／座席位置認証部１２内には、図４を参照して後述する、受講者ＩＤコードと受講者の氏名等との対応データである受講者データと、図４を参照して後述する、講義室名と講義室コードとの対応データである講義室データと、図５を参照して後述する、講義室名と座席ＩＤコードとの対応データである座席データとが予め記憶されている。また、受講者／座席位置認証部１２内には、更に、講義室名と当該受講日の講義（科目）名との対応データ（図示を省略）が予め記憶されている。
【００１１】
具体的には、受講者／座席位置認証部１２は、以下のようにして、出席している受講者を認証する。受講者／座席位置認証部１２は、上記講義室データを参照して、ハンディターミナル２の通信部３１から通信部１１に対して送信された講義室コードに対応する講義室名を特定する。また、受講者／座席位置認証部１２は、上記座席データを参照して、上記特定された講義室名に対応する座席ＩＤコードを特定し、受講者／座席位置認証部１２内の所定のバッファに記憶する。そして、受講者／座席位置認証部１２は、上記講義室名と講義名との対応データを参照して、上記特定された講義室名に対応する講義名を特定する。そして、受講者／座席位置認証部１２は、該特定された講義名に対応するテンポラリデータを生成して、該テンポラリデータを初期設定する。テンポラリデータは、図６（Ａ）、（Ｂ）を参照して後述するように、例えば、当該受講日の日時と当該講義室において講義が行われる時限と座席ＩＤコードと学生ＩＤコードとの対応データである。受講者／座席位置認証部１２は、上記テンポラリデータの初期設定処理において、テンポラリデータにおける受講者ＩＤコードの項目と座席ＩＤコードの項目とを空に設定する。
【００１２】
受講者／座席位置認証部１２は、受講者ＩＤコードと座席ＩＤコードとがハンディターミナル２の通信部３１から通信部１１に対して送信されると、上記テンポラリデータの受講者ＩＤコードの項目に該受信された受講者ＩＤコードを記録する。また、受講者／座席位置認証部１２は、上記送信された座席ＩＤコードのうち、上記受講者／座席位置認証部１２内の所定のバッファ内に記憶された座席ＩＤコードと照合する座席ＩＤコードを、上記テンポラリデータの座席ＩＤコードの項目に記録する。もちろん、本発明の一実施形態によれば、上記送信された受講者ＩＤコードを上記所定のバッファ内に記憶された座席コードと照合することなく、そのままテンポラリデータに記録するようにしてもよい。
【００１３】
次に、受講者／座席位置認証部１２は、上記通信部１１に送信された受講者ＩＤコードが、上記受講者データに登録されているかを判断する。該受講者ＩＤコードが受講者データに登録されており、かつ、該受講者ＩＤコードとともに通信部１１に送信された座席ＩＤコードが示す座席に設けられた在席センサー１０３による検知結果が、受講者が在席していることを示す場合には、受講者／座席位置認証部１２は、当該受講者ＩＤコードが示す受講者を出席者として認証する。また、受講者／座席位置認証部１２は、図５に示すように座席ＩＤコードと座席の位置（レイアウト上の位置）との対応情報を参照して、上記送信された座席ＩＤコードに対応する座席の位置を上記認証された受講者が在席している座席位置として決定する。
該受講者ＩＤコードが受講者データに登録されていないか、又は、該受講者ＩＤコードとともに通信部１１によって受信された座席ＩＤコードが示す座席に設けられた在席センサー１０３による検知結果が、受講者が在席していることを示さない場合には、受講者／座席位置認証部１２は、当該受講者ＩＤコードが示す受講者を出席者として認証せず、上記テンポラリデータから、該認証しなかった受講者の受講者ＩＤコードの記録を消去する。
【００１４】
出席受講者リスト生成部１３は、後述する出席状態データ記憶部１９から、受講者／座席位置認証部１２により認証された各受講者の出席状態データを読み出し、当該講義に出席している各受講者の受講者名と、当該講義についての現在の出席点数と、受講者／座席位置認証部１２によって決定された座席位置とを対応付けて、出席受講者リストを生成する。
具体的には、出席受講者リスト生成部１３は、受講者／座席位置認証部１２による、上記受講者の認証処理後のテンポラリデータを参照して、該テンポラリデータに記録されている受講者ＩＤコードを特定し、出席状態データ記憶部１９から、上記特定された受講者ＩＤコードに対応する出席状態データを読み出す。そして、出席受講者リスト生成部１３は、該読み出された出席状態データと、上記決定された座席位置とに基づいて、例えば図８を参照して後述する出席受講者リストを生成する。
【００１５】
表示部１４は、上記出席受講者リスト生成部１３により生成された出席受講者リストを、少なくとも講師の見えるところ（例えば、講師が持つコンピュータの表示パネルや、講師の教壇に設置された表示パネル等）に表示する。すなわち、表示部１４は、出席受講者リスト生成部１３により生成された出席受講者リストを、少なくとも講師の見えるところに表示する出席受講者リスト表示手段である。
また、表示部１４は、後述する声紋判定部１６によって求められる声紋データの一致度を少なくとも講師の見えるところに表示する。すなわち、表示部１４は、声紋データの一致度を少なくとも講師の見えるところに表示する一致度表示手段である。また、表示部１４は、ハンディターミナル２の通信部３１から通信部１１に対して送信されるエラー通知を表示する。該エラー通知は、図１１を参照して後述する、ハンディターミナル２による講義室コード、受講者ＩＤコード、座席ＩＤコードの読み取り処理において発生するエラーの通知である。
【００１６】
受講者指名部１５は、講師の指定入力に従って、受講者を指名して、該受講者の氏名をスピーカー２０から音声出力する。また、受講者指名部１５は、上記指名された受講者が在席している座席に予め設けられている座席ランプ１０２を発光させる。
声紋判定部１６は、当該講義時間中に、ハンディターミナル２の通信部３１から通信部１１に対して送信される、受講者ＩＤコード及びハンディターミナル２のマイク部３３から入力された音声情報から、当該講義時間中に発言した受講者の受講者ＩＤコードに対応した声紋データを取得し、声紋データ記憶部１８に記憶する。声紋データは、例えば、受講者毎及び講義科目毎に声紋データ記憶部１８に記憶される。具体的には、声紋判定部１６は、公知の特徴ベクトル算出技術を用いて、当該音声情報の特徴ベクトルを求め、求まった特徴ベクトルを当該受講者の声紋データとする。すなわち、声紋判定部１６は、当該講義時間中に、端末装置（ハンディターミナル２）の通信部３１から送信される受講者ＩＤコード及びマイク部３３から入力された音声情報から、発言した受講者の受講者ＩＤコードに対応した声紋データを取得して声紋データ記憶部１８に記憶する声紋データ取得手段である。
【００１７】
また、声紋判定部１６は、声紋データ記憶部１８に記憶されている当該受講者の過去の声紋データを読み出し、今回取得した声紋データと過去の声紋データとを比較して、該過去の声紋データと今回取得した声紋データとの一致度を求める。例えば、声紋判定部１６は、当該受講者の過去の声紋データについての特徴ベクトルの平均と今回取得された声紋データについての特徴ベクトルとの類似度を公知のベクトル間の類似度を求める技術によって算出し、該算出された類似度を該過去の声紋データと今回取得した声紋データとの一致度とする。すなわち、声紋判定部１６は、声紋データ記憶部１８に記憶された当該受講者の過去の声紋データを読み出し、上記今回取得された声紋データと過去の声紋データとを比較して、該過去の声紋データと今回取得された声紋データとの一致度を求める声紋データ比較手段である。
【００１８】
出席状態データ書き込み部１７は、受講者／座席位置認証部１２によって出席者として認証された受講者の受講者名と、声紋データ判定部１６によって求められた今回取得した声紋データについての上記声紋データの一致度と、該受講者の出席日数に対応する出席点数とを、該受講者のＩＤコードに対応付け、該対応付けられたデータを出席状態データとして出席状態データ記憶部１９に書き込む。なお、出席状態データ書き込み部１７は、例えば、予め定められた出席日数と出席点数との対応情報に基づいて、該受講者の出席日数に対応する出席点数を求め、求まった出席点数を該受講者のＩＤコードに対応付ける。出席状態データ書き込み部１７は、例えば、該声紋データの一致度が所定の閾値（例えば０．５）以上である場合にのみ、該受講者に対応する出席点数を求めるようにし、声紋データの一致度が所定の閾値未満であるときには、該受講者を欠席扱いとして、該受講者に対して出席点数を付与しない（該受講者に対する出席点数を求めない）ようにしてもよい。
【００１９】
声紋データ記憶部１８には声紋データが記憶される。出席状態データ記憶部１９には出席状態データが記憶される。
スピーカー２０は、受講者指名部１５によって指名された受講者の氏名を音声出力する。ランプ接続部２１は、講義室の各座席に予め設けられた座席ランプ１０２と接続され、受講者指名部１５からの指示に従って、受講者指名部１５によって指名された受講者が在席する座席に設けられている座席ランプ１０２を発光させる。具体的には、ランプ接続部２１は、ランプ接続部２１内に予め記憶された、図７を参照して後述する座席ＩＤコードとランプ番号との対応情報を参照して、上記指名された受講者が在席する座席に対応するランプ番号を特定し、該特定されたランプ番号に対応する座席ランプ１０２を発光させる。
【００２０】
センサー接続部２２は、各座席に設けられた在席センサー１０３と接続されており、該在席センサー１０３による、座席に受講者が在席しているかについての検知結果を受講者／座席位置認証部１２に対して通知する。在席センサー１０３は、例えば、該在席センサー１０３が設けられた座席（例えば、椅子）に受講者が座った時に、該座席に受講者が在席していることを検知する。
【００２１】
ハンディターミナル２は、通信部３１、ＩＣタグリーダ３２、マイク部３３、制御部３４、記憶部３５を備える。通信部３１は、出席状態管理装置１との間で通信を行う。具体的には、通信部３１は、ＩＣタグリーダ３２によって読み取られた受講者ＩＤコード及び座席ＩＤコードと、講義室コードと、マイク部３３によって入力された音声情報とを出席状態管理装置１の通信部１１に対して送信する。ＩＣタグリーダ３２は、受講者の所有するＩＣタグ等の記録媒体からＩＤコードを読み取る。また、ＩＣタグリーダ３２は、各座席に設けられた座席ＩＣタグ等記録媒体から座席ＩＤコードを読み取る。また、ＩＣタグリーダ３２は、講義室に設置されたＩＣタグ等の記録媒体から講義室コードを読み取る。上記ＩＣタグリーダ３２に代えて、記録媒体からＩＤコードを読み取ることが可能な任意の記録媒体リーダを用いるようにしてもよい。
マイク部３３は、受講者から発せられる音声情報を入力する。制御部３４は、ＩＣタグリーダ３２によって読み取られた受講者ＩＤコード及び座席ＩＤコードと、講義室コードと、マイク部３３によって入力された音声情報を記憶部３５に記憶（又は録音）する。記憶部３５には、ＩＣタグリーダ３２によって読み取られた受講者ＩＤコード及び座席ＩＤコードと、講義室コードと、マイク部３３によって入力された音声情報とが記憶される。
【００２２】
図２は、本発明の出席状態管理システムによる出席状態管理処理が実行される講義室の構成例である。この例では、点線で囲った部分に示すような、講義室内の各受講者１００の椅子２０２と、机２０１の全領域のうち各受講者１００に割り当てられる領域との組を座席という。図２中に示すように、各座席には、座席ＩＣタグ１０１と、座席ランプ１０２と、在席センサー１０３とが設けられている。なお、各講義室には、講義室を一意に特定する講義室コードが記憶されたＩＣタグが設けられている。
【００２３】
受講者１００が講義室に入室して、座席に着席すると、まず、ハンディターミナル２が、該講義室に設けられたＩＣタグから講義室コードを読み取る。そして、各受講者１００に対してハンディターミナル２が順次渡される。ハンディターミナル２は、受講者１００の操作に従って、受講者１００が所有する受講者ＩＣタグから受講者ＩＤコードを読み取るとともに、該受講者１００が着席している座席に設けられている座席ＩＣタグから座席ＩＤコードを読み取る。在席センサー１０３は、該在席センサー１０３が設けられている座席に受講者１００が在席しているかを検知する。上記受講者ＩＤコード及び座席ＩＤコードと、上記在席センサー１０３による検知結果とが出席状態管理装置１に対して通知される。
【００２４】
出席状態管理装置１は、上記通知された上記受講者ＩＤコード及び座席ＩＤコードと、上記在席センサー１０３による検知結果とに基づいて、出席している受講者を認証し、該認証された受講者１００の受講者名と当該講義についての現在の出席点数と座席位置とを対応付けて出席受講者リストを生成し、生成された出席受講者リストを、例えば教壇１０１に設置された表示パネル上に表示する。講師が、該表示パネル上に表示された出席受講者リストに記述された受講者１００を指定入力すると、出席状態管理装置１は、該指定入力に従って、受講者１００を指名し、指名された受講者１００の氏名をスピーカー２０から音声出力するとともに、該指名された受講者１００が在席している座席に設けられている座席ランプ１０２を発光させる。
【００２５】
図３は、受講者データの一例を示す図である。受講者データは、例えば、学年・所属、氏名、性別、ＩＤコードといったデータ構成を有する。学年・所属は、受講者の学年及び所属（例えば、専攻）、氏名は受講者の氏名、性別は受講者の性別、ＩＤコードは受講者ＩＤコードを示す。
【００２６】
図４は、講義室データの一例を示す図である。講義室データは、講義室名と講義室コードといったデータ構成を有する。講義室名は講義室の名称、講義室コードは該講義室を一意に識別するコードである。この情報がＩＣタグに記録され、講義室の壁又は入口にＩＣタグとして貼付されていてもよい。例えば、奥室の壁には「ＯＫＵＳＩＴＵ」という情報が記録されたＩＣタグが貼付される。
【００２７】
図５は、座席データの一例を示す図である。座席データは、講義室名（講義室の名称）と該講義室名に対応する座席ＩＤコード及びレイアウト上の位置といったデータ構成を有する。
【００２８】
図６（Ａ）、（Ｂ）は、テンポラリデータの一例を示す図である。図６（Ａ）はＸ月Ｙ日のＮ時限に奥室で行われる講義についてのテンポラリデータを示し、図６（Ｂ）はＸ月Ｙ日のＬ時限に奥室で行われる講義についてのテンポラリデータを示している。図６（Ａ）、（Ｂ）に示すテンポラリデータは、例えば、日時、時限、座席ＩＤコード、受講者ＩＤコード及びレイアウト上の位置といったデータ構成を有する。日時は当該受講日、時限は当該講義が行われる時限、座席ＩＤコードは、座席を一意に識別する識別情報であり、受講者／座席位置認証部１２による受講者の認証処理後は、講義への出席者として認証された受講者が在席している座席の識別情報を示す。受講者ＩＤコードは、受講者を一意に識別する識別情報であって、受講者／座席位置認証部１２による受講者の認証処理後は、講義への出席者として認証された受講者の識別情報を示す。
【００２９】
図７は、ランプ接続部内に予め記憶された、座席ＩＤコードとランプ番号との対応情報の一例を示す図である。図７に示す座席ＩＤコードとランプ番号との対応情報において、座席ＩＤコードは座席を一意に識別する識別情報を示し、ランプ番号は、座席ランプ１０２を一意に識別するランプ番号を示す。
【００３０】
図８は、出席受講者リストの一例を示す図である。図８に示す出席受講者リストは、例えば、Ｎｏ、指示ボタン、氏名、座席ＩＤコード、座席位置、出席点数といったデータ構成を有する。Ｎｏは出席受講者リストのレコード（一行分のデータ）を一意に識別する番号、指示ボタンは受講者を指定入力するためのボタン、氏名は該受講者の氏名、座席ＩＤコードは該受講者が在席している座席の識別情報、座席位置は該受講者が在席している座席の位置、出席点数は該受講者の出席点数である。上記指示ボタンが講師によってクリック等されることによって、該指示ボタンの横に表示されている氏名に対応する受講者が指定入力され、受講者指名部１５によって指名される。そして、該指名された受講者の氏名がスピーカー２０から音声出力される。また、受講者指名部１５は、該指名された受講者に対応する座席ＩＤコードをランプ接続部２１に対して通知することによって、ランプ接続部２１に該座席ＩＤコードが示す座席に設けられた座席ランプ１０２の発光を指示する。
【００３１】
図９は、声紋データ記憶部に記憶される声紋データの一例を示す図である。図９に示す声紋データは、当該受講者の氏名と受講者ＩＤコードと当該講義日毎の当該受講者の声紋データと過去の声紋データの平均（声紋データについての特徴ベクトルの平均）とからなる。過去の声紋データの平均は、当該講義科目についての当該受講者の過去の声紋データの平均であってもよいし、全ての講義科目についての当該受講者の過去の声紋データの平均であってもよい。声紋データは、受講者毎及び講義科目毎に声紋データ記憶部１８に記憶される。
【００３２】
図１０は、出席状態データの一例を示す図である。出席状態データは、受講者名、該受講者の受講者ＩＤコード、該受講者の出席点数、一致度を含んでいる。出席状態データ中の「出席点」は出席点数を示し、「一致度」は、各受講日において取得された該受講者の声紋データと該受講者の過去の声紋データとの一致度を示す。
【００３３】
図１１は、ハンディターミナルによる講義室コード、受講者ＩＤコード、座席ＩＤコードの読み取り処理フローの一例を示す図である。ハンディターミナル２は、講義室コードを読み取った後、各受講者に渡されて、受講者ＩＤコードと座席ＩＤコードとを読み取る。この例では、ハンディターミナル２が座席ＩＤコード、受講者ＩＤコードの順に読み取った場合にのみ座席ＩＤコード、受講者ＩＤコードが制御部３４によって記憶部３５に記憶される。
【００３４】
まず、ハンディターミナル２のＩＣタグリーダ３２が、講義室に設置されたＩＣタグから講義室コードをリードし（読み取り）、制御部３４が講義室コードを記憶部３５に記憶する（ステップＳ１）。次に、ＩＣタグリーダ３２が、受講者が所有する受講者ＩＣタグから受講者ＩＤコードをリードするか、又は、各座席に設けられた座席ＩＣタグから座席ＩＤコードをリードする（ステップＳ２）。制御部３４が、リードされたＩＤコードが座席ＩＤコードかを判断する（ステップＳ３）。制御部３４が、リードされたＩＤコードが座席ＩＤコードでないと判断した場合、制御部３４は、リードされたＩＤコードが受講者ＩＤコードかを判断する（ステップＳ４）。制御部３４が、リードされたＩＤコードが受講者ＩＤコードでないと判断した場合、制御部３４は、通信部３１を通じて出席状態管理装置１の通信部１１にエラーを通知する（ステップＳ５）。該通知されたエラーは、出席状態管理装置１の表示部１４によって表示される。
【００３５】
制御部３４が、リードされたＩＤコードが受講者ＩＤコードであると判断した場合、制御部３４は、座席ＩＤコードが記憶部３５に記憶済みかを判断する（ステップＳ６）。制御部３４が、座席ＩＤコードが記憶部３５に記憶済みでないと判断した場合は、ステップＳ２に戻る。制御部３４が、座席ＩＤコードが記憶部３５に記憶済みであると判断した場合は、受講者ＩＤコードを記憶部３５に記憶して（ステップＳ７）、処理を終了する。
上記ステップＳ３において、制御部３４が、リードされたＩＤコードが座席ＩＤコードであると判断した場合、制御部３４は、前回リードされたＩＤコードが座席ＩＤコードかを判断する（ステップＳ８）。制御部３４が、前回リードされたＩＤコードが座席ＩＤコードであると判断した場合は、ステップＳ２に戻る。制御部３４が、前回リードされたＩＤコードが座席ＩＤコードでないと判断した場合は、制御部３４は、座席ＩＤコードを記憶部３５に記憶して（ステップＳ９）、ステップＳ２に戻る。
【００３６】
図１２は、ハンディターミナルによる講義室コード、受講者ＩＤコード、座席ＩＤコードの送信処理フローの一例を示す図である。
ハンディターミナル２の通信部３１が、記憶部３５に記憶されている講義室コードを出席状態管理装置１の通信部１１に対して送信する（ステップＳ１１）。次に、ハンディターミナル２の通信部３１が、記憶部３５に記憶されている受講者ＩＤコードを出席状態管理装置１の通信部１１に対して送信する（ステップＳ１２）。そして、ハンディターミナル２の通信部３１が、記憶部３５に記憶されている座席ＩＤコードを出席状態管理装置１の通信部１１に対して送信して（ステップＳ１３）、処理を終了する。
【００３７】
図１３は、出席状態管理処理フローの一例を示す図である。まずシステムのカレンダーと時刻をリードし、当日の日時を記憶する（ステップＳ２０）。
次に、出席状態管理装置１の通信部１１が、ハンディターミナル２の通信部３１から講義室コードを受信すると（ステップＳ２１）、受講者／座席位置認証部１２が、テンポラリデータを生成して、該テンポラリデータを初期設定する（ステップＳ２２）。次に、通信部１１が、ハンディターミナル２の通信部３１から受講者ＩＤコードと座席ＩＤコードとを受信すると（ステップＳ２３）、受講者／座席位置認証部１２が、該受信された受講者ＩＤコードと座席ＩＤコードとをテンポラリデータに設定する（ステップＳ２４）。上記ステップＳ２４においては、受講者／座席位置認証部１２は、例えば、上記受信された座席ＩＤコードが、受講者／座席位置認証部１２の所定のバッファ内に既に記憶されている場合にのみ該座席ＩＤコードをテンポラリデータに設定する。
【００３８】
次に、受講者／座席位置認証部１２が、センサー接続部２２から、座席に受講者が在席しているかについての検知結果の通知を受ける（ステップＳ２５）。受講者／座席位置認証部１２が、上記ステップＳ２３において受信された受講者ＩＤコードが示す受講者を出席者として認証するかを判断する（ステップＳ２６）。受講者／座席位置認証部１２が、該受講者を出席者として認証した場合は、受講者／座席位置認証部１２は、該受講者の座席位置を決定して（ステップＳ２７）、ステップＳ２９に進む。受講者／座席位置認証部１２が、該受講者を出席者として認証しない場合は、受講者／座席位置認証部１２は、出席者として認証されなかった受講者に対応する受講者ＩＤをテンポラリデータから消去する（ステップＳ２８）。
【００３９】
次に、出席受講者リスト生成部１１が、テンポラリデータを参照して、出席受講者リストを生成し（ステップＳ２９）、表示部１４が、生成された出席受講者リストを少なくとも講師の見えるところに表示する（ステップＳ３０）。
次に、受講者指名部１５が、講師によって受講者が指定されたかを判断する（ステップＳ３１）。受講者指名部１５が講師によって受講者が指定されないと判断した場合はステップＳ３１に戻る。受講者指名部１５が、講師によって受講者が指定されたと判断した場合、受講者指名部１５は、受講者を指名する（ステップＳ３２）。そして、受講者指名部１５が、上記指名された受講者が在席している座席に設けられている座席ランプ１０２を発光させる（ステップＳ３３）。また、受講者指名部１５が、指名された受講者の氏名をスピーカー２０から音声出力する（ステップＳ３４）。ハンディターミナルが、図１５を参照して後述するマイク入力処理を行う（ステップＳ３５）。次に、出席状態管理装置１の通信部１１が、ハンディターミナル２からの通信を受信する（ステップＳ３６）。具体的には、通信部１１は、ハンディターミナル２の通信部３１から、講義中に発言した受講者の受講者ＩＤコードと音声情報とを受信する。声紋判定部１６は、上記受信された受講者ＩＤコードと音声情報とに基づいて、該受講者ＩＤコードに対応した声紋データを取得する（ステップＳ３７）。
【００４０】
次に、声紋判定部１６が、上記受講者ＩＤコードに対応する受講者の過去の声紋データが声紋データ記憶部１８に記憶されているかを判断する（ステップＳ３８）。声紋判定部１６が、上記受講者ＩＤコードに対応する受講者の過去の声紋データが声紋データ記憶部１８に記憶されていないと判断した場合、上記ステップＳ３７において取得された声紋データ（今回取得された声紋データ）を声紋データ記憶部に記憶して（ステップＳ３９）、ステップＳ４６に進む。
上記ステップＳ３８において、声紋判定部１６が、上記受講者ＩＤコードに対応する過去の声紋データが声紋データ記憶部１８に記憶されていると判断した場合、声紋判定部１６は、声紋データ記憶部１８に記憶されている当該受講者ＩＤコードに対応する受講者の過去の声紋データをリードし（ステップＳ４０）、上記ステップＳ３７において今回取得された声紋データが上記ステップＳ３９においてリードされた過去の声紋データと照合するかを判断する（ステップＳ４１）。
【００４１】
具体的には、声紋判定部１６は、今回取得された声紋データと過去の声紋データとを比較して、該過去の声紋データと今回取得した声紋データとの一致度を求め、求まった一致度が予め決められた閾値以上かを判断する。声紋判定部１６が、今回取得された声紋データが過去の声紋データと照合すると判断した場合は、ステップＳ４４に進む。声紋判定部１６が、今回取得された声紋データが過去の声紋データと照合しないと判断した場合、表示部１４が、上記求まった過去の声紋データと今回取得した声紋データとの一致度を、少なくとも講師の見えるところに表示する（ステップＳ４２）。例えば、表示部１４は、上記ステップＳ３０において表示された出席受講者リストにおける、該受講者に対応するレコード（一行分のデータ）の横に、上記求まった一致度をポップアップ表示等する。
【００４２】
次に、声紋判定部１６は、講師の指定入力に従って、今回取得された声紋データを消去するかを判断する（ステップＳ４３）。声紋判定部１６が、今回取得された声紋データを消去すると判断した場合、声紋判定部１６は、当該声紋データを消去して（ステップＳ４５）、ステップＳ４６に進む。声紋判定部１６が、今回取得された声紋データを消去しないと判断した場合、声紋判定部１６は、当該声紋データを声紋データ記憶部に記憶して（ステップＳ４４）、ステップＳ４６に進む。
次に、出席状態データ書き込み部１７が、例えば講師の指定入力に従って、講義が終了したかを判断する（ステップＳ４６）。出席状態データ書き込み部１７が、講義が終了していないと判断した場合は、ステップＳ３１に戻る。出席状態データ書き込み部１７が、講義が終了したと判断した場合は、出席状態データ書き込み部１７が、出席状態データを出席状態データ記憶部１９に書き込んで（ステップＳ４７）、処理を終了する。
【００４３】
図１４は、図１３のステップＳ２２におけるテンポラリデータの初期設定処理の詳細を示すフローチャートである。
まず、受講者／座席位置認証部１２が、図４に示すような講義室データを参照して、ハンディターミナル２の通信部３１から受信された講義室コードに対応する講義室名を特定する（ステップＳ５１）。また、受講者／座席位置認証部１２は、図５に示すような座席データを参照して、上記特定された講義室名に対応する座席ＩＤコードを特定し、受講者／座席位置認証部１２内の所定のバッファに記憶する（ステップＳ５２）。また、受講者／座席位置認証部１２は、講義室名と講義名との対応データを参照して、上記特定された講義室名に対応する講義名を特定する（ステップＳ５３）。そして、受講者／座席位置認証部１２は、上記特定された講義名に対応するテンポラリデータを生成し、該生成されたテンポラリデータにおける受講者ＩＤコードの項目と座席ＩＤコードの項目とを空に設定して（ステップＳ５４）、処理を終了する。
【００４４】
図１５は、図１３のステップＳ３５におけるハンディターミナルのマイク入力処理の詳細を示すフローチャートである。マイク部３３が、マイク入力（受講者からの音声入力）が行われたかを判断する（ステップＳ６１）。次に、ＩＣタグリーダ３２が、受講者の所有する受講者ＩＣタグをリードして（ステップＳ６２）、受講者ＩＤコードを取得する。次に、制御部３４が、受講者から入力された音声を録音する（記憶部３５に記憶する）（ステップＳ６３）。制御部３４が、録音が終了したかを判断する（ステップＳ６４）。制御部３４が、録音が終了していないと判断した場合はステップＳ６３に戻る。制御部３４が、録音が終了したと判断した場合、制御部３４は、マイク部３３によるマイク入力が終了したかを判断する（ステップＳ６５）。制御部３４が、マイク部３３によるマイク入力が終了していないと判断した場合は、ステップＳ６１に戻る。制御部３４が、マイク部３３によるマイク入力が終了した判断した場合は、処理を終了する。
【図面の簡単な説明】
【００４５】
【図１】本発明の出席状態管理システムの構成の一例を示す図である。
【図２】本発明の出席状態管理システムによる出席状態管理処理が実行される講義室の構成例である。
【図３】受講者データの一例を示す図である。
【図４】講義室データの一例を示す図である。
【図５】座席データの一例を示す図である。
【図６】テンポラリデータの一例を示す図である。
【図７】座席ＩＤコードとランプ番号との対応情報の一例を示す図である。
【図８】出席受講者リストの一例を示す図である。
【図９】声紋データ記憶部に記憶される声紋データの一例を示す図である。
【図１０】出席状態データの一例を示す図である。
【図１１】ハンディターミナルによる講義室コード、受講者ＩＤコード、座席ＩＤコードの読み取り処理フローの一例を示す図である。
【図１２】ハンディターミナルによる講義室コード、受講者ＩＤコード、座席ＩＤコードの送信処理フローの一例を示す図である。
【図１３】出席状態管理処理フローの一例を示す図である。
【図１４】テンポラリデータの初期設定処理の詳細を示すフローチャートである。
【図１５】ハンディターミナルのマイク入力処理の詳細を示すフローチャートである。
【符号の説明】
【００４６】
１  出席状態管理装置
２  ハンディターミナル
１１、３１  通信部
１２  受講者／座席位置認証部
１３  出席受講者リスト生成部
１４  表示部
１５  受講者指名部
１６  声紋判定部
１７  出席状態データ書き込み部
１８  声紋データ記憶部
１９  出席状態データ記憶部
２０  スピーカー
２１  ランプ接続部
２２  センサー接続部
３２  ＩＣタグリーダ
３３  マイク部
３４  制御部
３５  記憶部
１００  受講者
１０１  座席ＩＣタグ
１０２  座席ランプ
１０３  在席センサー
２００  教壇
２０１  机
２０２  椅子
【図１】
2008276633.tif 000003
【図２】
2008276633.tif 000004
【図３】
2008276633.tif 000005
【図４】
2008276633.tif 000006
【図５】
2008276633.tif 000007
【図６】
2008276633.tif 000008
【図７】
2008276633.tif 000009
【図８】
2008276633.tif 000010
【図９】
2008276633.tif 000011
【図１０】
2008276633.tif 000012
【図１１】
2008276633.tif 000013
【図１２】
2008276633.tif 000014
【図１３】
2008276633.tif 000015
【図１４】
2008276633.tif 000016
【図１５】
2008276633.tif 000017